(57)【特許請求の範囲】
【請求項１】
遊技機において、遊技中に遊技者の手が触れる遊技機部分に、突出して遊技者の手を押圧することにより遊技状態を報知する可動子を備え、当該可動子の基端を移動体に固定し、当該移動体は前記可動子の突出方向へ可聴周波数以下で電磁的に直線往復動させられるものであり、かつ前記可動子と当該可動子以外の前記遊技機部分との間に配設されて前記可動子を反突出方向へ付勢するバネ部材と、前記可動子以外の前記遊技機部分に設けられて、前記可動子の一部を当接させて当該可動子の突出方向への移動範囲を規制するとともに前記可動子の他の一部を当接させて当該可動子の反突出方向への移動範囲を規制する移動規制部とを備える遊技機の報知装置。
【発明の詳細な説明】
【技術分野】
【０００１】
本発明は遊技機の報知装置に関し、特に、遊技機の遊技状態を確実に遊技者へ報知することができる遊技機の報知装置に関する。
【背景技術】
【０００２】
遊技機の遊技状態を報知する報知装置としては視覚的なものが多いが、遊技に熱中する遊技者は往々にして見逃すおそれがあり、より確実な報知装置が望まれていた。そこで、例えば特許文献１には、遊技球発射ハンドル内に振動板を設けて、電磁コイルによって振動板をハンドル軸方向へ振動させることによって遊技者に確実に遊技状態を報知できる報知装置が示されている。
【先行技術文献】
【特許文献】
【０００３】
【特許文献１】特開平９−０９９１３７
【発明の概要】
【発明が解決しようとする課題】
【０００４】
しかし、上記従来の報知装置では、ハンドルに設けた振動板の振動が周辺構造物に伝わったり振動に伴う音が発生することにより、遊技者がハンドルに触れていなくても振動していることがわかってしまい、せっかくの演出効果が半減してしまうという問題があった。
【０００５】
そこで、本発明はこのような課題を解決するもので、安価かつ簡単な構造で遊技状態を特定部位に触れている遊技者へ確実に報知できる遊技機の報知装置を提供することを目的とする。
【課題を解決するための手段】
【０００６】
上記目的を達成するために、本第１発明では、遊技機において、遊技中に遊技者の手が触れる遊技機部分（Ｈ）に、突出して遊技者の手を押圧することにより遊技状態を報知する可動子（３）を備え、当該可動子（３）の基端（３４１）を移動体（５）に固定し、当該移動体（５）は前記可動子（３）の突出方向へ可聴周波数以下で電磁的に直線往復動させられるものであり、かつ前記可動子（３）と当該可動子（３）以外の前記遊技機部分（Ｈ）との間に配設されて前記可動子（３）を反突出方向へ付勢するバネ部材（４１）と、前記可動子（３）以外の前記遊技機部分（Ｈ）に設けられて、前記可動子（３）の一部（３３１）を当接させて当該可動子（３）の突出方向への移動範囲を規制するとともに前記可動子（３）の他の一部（３２）を当接させて当該可動子（３）の反突出方向への移動範囲を規制する移動規制部（４２１，２２３）とを備える。
【０００７】
本第１発明によれば、可聴周波数以下の適度な頻度で可動子によって遊技者の手を押圧することによって、手を痺れさせることなく、遊技者に確実かつ効果的に遊技状態を報知することができる。移動体の駆動には電磁力を使用するだけなので、駆動機構が安価かつ簡易に実現される。また周波数や振幅を変化させるだけの簡単な制御で、移動速度や移動量を容易に変化させることができる。
【００１０】
上記カッコ内の符号は、後述する実施形態に記載の具体的手段との対応関係を参考的に示すものである。
【発明の効果】
【００１１】
以上のように、本発明の遊技機の報知装置によれば、安価かつ簡単な構造で遊技状態を特定部位に触れている遊技者へわかりやすく報知することができる。
【図面の簡単な説明】
【００１２】
【図１】報知装置を備えた遊技球発射ハンドルを前方から見た斜視図である。
【図２】報知装置を備えた遊技球発射ハンドルの側面図である。
【図３】報知装置を備えた遊技球発射ハンドルの縦断面斜視図である。
【図４】ハンドルキャップおよびバネ受け板を除いた状態での報知装置を備えた遊技球発射ハンドルの正面図である。
【図５】報知装置作動時の遊技球発射ハンドルの側面図である。
【発明を実施するための形態】
【００１３】
なお、以下に説明する実施形態はあくまで一例であり、本発明の要旨を逸脱しない範囲で当業者が行う種々の設計的改良も本発明の範囲に含まれる。
【００１４】
図１には本発明の報知装置を備えたパチンコ遊技機（以下、単に遊技機という）の遊技球発射ハンドルＨを前方から見た斜視図を示し、図２にはその側面図を示す。遊技球発射ハンドルＨは図１、図２に示す水平姿勢で公知のように遊技機の前面下部に設置される。遊技球発射ハンドルＨは基端部１が矩形のケーシング状となっており、当該基端部１内に、後述する電磁駆動機構が収容されている。
【００１５】
基端部１の前面にハンドル部２が設けられている。ハンドル部２は、遊技者が指を掛けるための径方向突出部２１１〜２１３を周方向の三箇所に形成したリング状のハンドル体２１を備えている。ハンドル体２１の前後にはこれと小間隙をおいて、略半球状に前方へ膨出するハンドルキャップ２２と、円形半容器状のハンドルベース２３が位置している。ハンドルベース２３はその容器底が上記基端部１に固定されるとともに、その容器前方開口がハンドル体２１に対向している。
【００１６】
ハンドルキャップ２２は図示しない適宜位置でハンドルベース２１に固定されている。そして、ハンドルキャップ２２の頂面中心部には円形開口２２１が形成されて、当該開口２２１内に可動子３を構成する円形の頭部３１が位置している。頭部３１の表面はハンドルキャップ２２の表面に滑らかに連続する曲面となっている。
【００１７】
図３には遊技球発射ハンドルＨの縦断面斜視図を示す。可動子３の頭部３１は後方へ開放する容器状に成形されており、その円形開口は蓋板３２で閉鎖されている。蓋板３２は板面の径方向二箇所（一箇所のみ図示）が円筒状をなして後方へ延出し、当該延出部３２１はハンドルキャップ２２内に固定されたＬＥＤ基板２２２を貫通して、可動子３を構成する可動子ベース３３の板面にネジ固定されている。
【００１８】
可動子ベース３３の中心は、可動子３を構成する主軸部３４の前端にネジ固定されており、主軸部３４は水平に延びてハンドルベース２３の底面中心を後方へ貫通している。可動子３は主軸部３４の中間部がハンドルベース２３の底部中心に支持されるとともに、主軸部３４と一体化された頭部３１の外周がハンドルキャップ２２の円形開口２２１の内周に支持され、安定的な前後方向の移動を実現している。可動子ベース３３の段付きに外後方へ延びる外周部にはコイル状のバネ部材４１の一端が係止されており、バネ部材４１はハンドルキャップ２２内に固定された筒状のバネ受け板４２の内周に沿って位置して、バネ部材４１の他端はバネ受け板４２の周状溝内に係止されている。そして、このようなバネ部材４１の伸長バネ力によって、主軸部３４およびこれと一体の可動子ベース３３、蓋板３２、頭部３１は後退方向へ付勢されており、この状態では頭部３１の表面はハンドルキャップ２２の表面と面一になっている。
【００１９】
図４はハンドルキャップ２２および可動子ベース３３を除いた状態で遊技球発射ハンドルＨを前方（図３の左方）から見た正面図である。図４において、ハンドル体２１はリング状の本体部２４と、上記主軸部３４の外周に回動可能に嵌装されたボス部２５を備えており、本体部２４は内周の周方向二箇所で、ボス部２５の外周から延びる腕部２５１，２５２に連続している。これによりハンドル体２１は主軸部３４を中心に回動操作可能であり、かつ主軸部３４の周囲で、ボス部２５の外周に配設されたバネ部材４３の両端がそれぞれハンドル体２１とハンドルベース２３に係止されて、バネ部材４３のバネ力によってハンドル体２１は原位置（図４の状態）に戻し付勢されている。
【００２０】
図３において、ボス部２５の後面には筒状スペーサ２６の一端が固定されており、当該スペーサ２６はボス部２５と同心に主軸部３４の外周に回動可能に嵌装されている。上記スペーサ２６の外周には一部に歯形２６１が形成されてギヤ２７と噛合しており、ギヤ２７は、ハンドルベース２３に設けた可変抵抗器２８の入力軸に装着されている。これにより、ハンドル体２１の回転に応じて可変抵抗器２８が回転して、ハンドル体２１の回転角に応じた出力信号が図略の発射制御回路から同じく図略の遊技球発射装置へ出力される。
【００２１】
主軸部３４の後端（基端）３４１は遊技球発射ハンドルＨの基端部１内へ至っており、この後端３４１は、基端部１内に位置する移動体５の円形基部の中心にネジ固定されている。基端部内には電磁駆動機構６が収容されており、本実施形態では電磁駆動機構６は電磁力を利用したものである。
【００２２】
すなわち、移動体５の円形基部の後面外周には、電磁駆動機構６を構成する薄肉筒状のボビン６１の前端開口が嵌着してあり、ボビン６１は後方へ向けて水平に延びている。ボビン６１の前端部外周からは、山形断面の凹凸を同心状に形成した蛇腹状の円形ダンパ６２が径方向において外方へ延びている。ダンパ６２の外周縁は、電磁駆動機構６のハウジング６３の内周に固定されている。また、ボビン６１の後端部外周にはコイル（ボイスコイル）６４が巻回されている。コイル６４は遊技球発射ハンドルＨ外の交流電源に接続されている。なお、ボビン６１と移動体５は樹脂により一体成形してもよい。
【００２３】
ボビン６１内にはその後端開口から、円形の外側ヨーク６５の中心筒部６５１がボビン６１内周面に近接して挿入されている。また、上記コイル６４に近接させてその外方にリング状の内側ヨーク６６が配設されている。そして、両ヨーク６５，６６の板面間にリング状の磁石体６７が配設されている。なお、本実施形態では、移動体５はボビン（コイル）６１に一体化するようにしたが、移動体５を磁石体６７（又は可動鉄心）と一体化し、コイル６４をハウジング６３側に固定するようにしてもよい。
【００２４】
以上の構造の遊技球発射ハンドルＨは、遊技状態では遊技者がハンドル体２１に指を掛けてこれを適宜回動操作する。その際、遊技者の手の平部分は常時ハンドルキャップ２２の膨出する前面に接している。この状態で、遊技者に遊技状態を報知したい場合には、遊技状態に応じて予め定められた可聴周波数以下の周波数、例えば１Ｈｚ〜１０Ｈｚ、かつ所定の振幅で交流電流をコイル６４に供給する。
【００２５】
これにより、磁石体６７の磁界内にあるコイル６４に電磁力が作用して、上記交流電流に周波数及び振幅に応じた移動速度（振動数）と移動量で、可動子３全体が前後方向へ直線移動させられる。そして、前進時には可動子３の頭部３１が図５に示すように、ハンドルキャップ２２の表面から突出して遊技者の手の平部分を押圧する。これによって遊技者に遊技状態が確実に報知される。なお、本実施例では交流電流を供給しているが、例えば直流電流（矩形波）を利用したパルス幅変調方式（ＰＷＭ）による擬似的波形を供給してもよい。
【００２６】
ここで、移動体５の前後移動範囲を規制する移動規制部が設けられている。すなわち、移動体５が前方に移動したときは、移動体５と一体化した可動子３の一部である可動子ベース３３の外周部から径方向に伸びた突出部３３１とバネ受け板４２の周壁で前記突出部３３１に対応する位置に設けられた切欠き部４２１によって移動規制部が形成され、突出部３３１と切欠き部４２１の対向面が当接することでそれ以上前方に移動体５及び可動子３が移動しないようになっている。移動体５が後方に移動したときは、蓋体３２の周縁部後面とハンドルキャップ２２の円形開口２２１の内周面から内側に向けて伸びるフランジ２２３によって移動規制部が形成され、蓋体３２の周縁部後面とフランジ２２３前面が当接することでそれ以上後方に移動体５及び可動子３が移動しないようになっている。以上のように、移動範囲を規制することで電磁駆動機構６や周辺部品の破損を防ぐことができる。
【００２７】
本実施形態では可聴周波数以下の適度な頻度で可動子の頭部によって遊技者の手が周期的に押圧されるから、手が痺れることがなく、遊技球発射ハンドルの操作に支障をきたすことがないとともに、周波数の高い他の機械振動と区別して可動子の動きを明確に覚知することができる。さらに、遊技球発射ハンドルのハンドルキャップの中心部に可動子（の頭部）が設けられていることにより、ハンドル体を掴む指に振動が伝達されることが無く、これによっても遊技球発射ハンドルの操作に支障をきたすことが防止される。なお、可動子は必ずしも遊技球発射ハンドルに設ける必要は無く、演出用操作部として遊技者が操作する入力装置や遊技中に遊技者が手を置くための手置き部等、遊技者が触れることにより報知状態を認識できるその他の場所に設けても良い。
【００２８】
本実施形態では、移動体を駆動させるのに電磁力を利用するだけなので、駆動機構が安価かつ簡易に実現できる。また周波数や振幅を変化させるだけの簡単な制御で、可動子の移動速度や移動量を容易に変化させることができる。
【００２９】
上記実施形態において、上記可動子を画像や音声の演出に合わせて動作させるようにしても良い。
【符号の説明】
【００３０】
Ｈ…遊技球発射ハンドル、１…基端部、２…ハンドル部、２１…ハンドル体、２２…ハンドルキャップ、２３…ハンドルベース、３…可動子、３１…頭部、３４…主軸部、３４１…基端、５…移動体、６…電磁駆動機構、６１…ボビン、６２…ダンパ、６４…コイル、６７…磁石体。
【図１】
0006554343.tif 000002
【図２】
0006554343.tif 000003
【図３】
0006554343.tif 000004
【図４】
0006554343.tif 000005
【図５】
0006554343.tif 000006